(57)【要約】【課題】火床部に引き出し構造を採用したバーベキュー用コンロにおいて、本体への装着容易性並びに引き出し操作安全性を高める。【解決手段】矩形開口部を形成する枠体部１３及び前記矩形開口部の下方に設けた前後対向周壁１４を有し対向周壁内面にスライドレール１６を設けた本体と、開口部から差し入れ可能な大きさで、前後縁にスライドレールに載置されるスライド部２４を設けると共に、側面に引き出し把手２６を設けた火床容器体２１とを備え、火床容器体のスライド移動で、火床容器体が本体の側面から突出可能に本体の側面を開口し、火床容器体の適宜箇所に係止突部を突設すると共に、火床容器体のスライド移動によって前記係止突部が衝突する位置に係止受け部を本体に設けてなる。【選択図】図６
0003151250.tif 000002
【実用新案登録請求の範囲】
【請求項１】
適宜な脚杆で支持され、上端に矩形開口部を形成する枠体部及び前記矩形開口部の下方に設けた前後対向周壁を備え、前記前後対向周壁の内面に、適宜高さで且つ開口部より内方に突出したスライドレールを設けた本体と、前記矩形開口部から差し入れ可能な大きさで、前後縁にスライドレールに載置されるスライド部を設けると共に、側面に引き出し把手を設けた火床容器体とを備え、前記火床容器体をスライドレールに載置してのスライド移動で、火床容器体が本体の側面から突出可能に本体の側面を開口し、火床容器体の適宜箇所に係止突部を突設すると共に、火床容器体のスライド移動によって前記係止突部が衝突する位置に係止受け部を本体に設けてなることを特徴とするバーベキュー用コンロ。
【請求項２】
火床容器体を本体に組み入れた際における火床容器体より側方に突出した位置までスライドレールを突出形成すると共に、前記突出個所のスライド部高さの直上位置に鍔抑え部を設けてなる請求項１記載のバーベキュー用コンロ。
【請求項３】
係止突部を火床容器体の底面に突設すると共に、前後脚に架設した連結杆に、係止受け部を上方に突設してなる請求項１又は２記載のバーベキュー用コンロ。
【請求項４】
本体を、下方開口コの字状のパイプ脚杆を対向させると共に、対向パイプ脚杆をコの字状連結パイプで連結して骨組みとした脚杆部と、枠体部及び前後対向周壁を備えた本体部とで構成してなる請求項１乃至３記載のバーベキュー用コンロ。
【請求項５】
火床容器体に、収納可能構造の持ち上げ把手を設けてなる請求項１乃至４記載の何れかのバーベキュー用コンロ。
【請求項６】
火床容器体をスライドレール上に載置した際の火床容器体の上方となる本体対向箇所に、一対のコの字状の網板支持杆の基部を軸装して、網板支持杆の上方横杆が開口部より上方に突出回動可能に架設し、本体の周壁外周側に、前記網板支持杆を回動操作する操作部を設けてなる請求項１乃至５記載の何れかのバーベキュー用コンロ。
【考案の詳細な説明】
【技術分野】
【０００１】
本考案は、バーベキュー用コンロに関するものである。
【背景技術】
【０００２】
バーベキュー用コンロは多種多様なものが知られているが、本考案は特にパイプ脚を備えた器具に関するものである。
【０００３】
パイプ脚を備えたバーベキュー用コンロは、基本的に下方開口コの字状のパイプ脚杆を対向させ、適宜間隔をおいて対向する両脚杆を連結して上方に矩形枠を形成し、この矩形枠内に火床となるコンロ本体を装着し、コンロ本体の上面に網板を載置してバーベキュー調理を行うようにしているものである（特許文献１）。
【０００４】
また調理火力調整機能を備える手段として、箱型コンロ本体において、コの字状の網板の支持杆の基部をコンロ本体の対向壁面に架設し、支持杆を回動することで網板を上下動させ、火床上の熱源との距離を調整することが知られている（特許文献２）。
【０００５】
また燃料供給作業を容易にする手段として、前方開口の箱型コンロ本体に、火床皿を引き出し状に装着する器具（特許文献３）、また箱型コンロ本体を上下二分割し、火床となる下方部分を引き出し構造とした器具（特許文献４）等が知られており、火床構成部を引き出して燃料の追加を行うようにしている。
【先行技術文献】
【特許文献】
【０００６】
【特許文献１】特開２００３−６１８３２号公報。
【特許文献２】登録実用新案３００６８３０号公報。
【特許文献３】実開平７−２４２３２号公報。
【特許文献４】実開平７−２５５６１０号公報。
【考案の概要】
【考案が解決しようとする課題】
【０００７】
ところでコンロ使用中に燃料の追加供給をする場合には、前記の特許文献１，２記載のような火床構成部を引き出し構造としていないコンロでは、網板を除去して燃料補給が必要であり、調理食品を一旦網板上から取り除いて行わなければならなく、面倒な作業となる。
【０００８】
また特許文献３，４記載の器具のように火床構成部を引き出し構造とした器具では、網板をそのままにして燃料補給を容易に行うことができるが、逆に火床構成部が引き出し過ぎると、コンロ本体から外れてしまい、非常に危険である。
【０００９】
また予め前記火床構成部に、所定の個所で引き出しが阻止される構造とする場合には、例えば清掃のため前記の火床構成部を本体から分離する際に、前記の阻止構造によって火床構成部の引出分離が困難となってしまう。
【００１０】
更に特許文献２に開示されているような網板上下位置調整機構を備えた器具において、火床構成部を引き出し構造とした器具は知られておらず、また網板上下位置調整機構及び火床構成部の引き出し構造を同時に組み込むとしても、前記の引き出し構造の課題を解決して組み込む構造としなければ使い難い器具となる。
【００１１】
そこで本考案は、引き出し構造を改善し、更に網板上下位置調整機構を備えたバーベキュー用コンロを提案したものである。
【課題を解決するための手段】
【００１２】
本考案（請求項１）に係るバーベキュー用コンロは、適宜な脚杆で支持され、上端に矩形開口部を形成する枠体部及び前記矩形開口部の下方に設けた前後対向周壁を有し、前記前後対向周壁の内面に、適宜高さで且つ矩形開口部より内方に突出したスライドレールを設けた本体と、前記開口部から差し入れ可能な大きさで、前後縁にスライドレールに載置されるスライド部を設けると共に、側面に引き出し把手を設けた火床容器体とを備え、前記火床容器体をスライドレールに載置してのスライド移動で、火床容器体が本体の側面から突出可能に本体の側面を開口し、火床容器体の適宜箇所に係止突部を突設すると共に、火床容器体のスライド移動によって前記係止突部が衝突する位置に係止受け部を本体に設けてなることを特徴とするものである。
【００１３】
而して火床容器体は矩形開口部の上方より差し入れて本体に装着されるもので、これによって火床部を備えるコンロが構成され、枠体部上に網板や鉄板を載置してバーベキュー調理に使用されるもので、使用中に燃料供給や燃料取り出しを行う際には、火床容器体を側面開口部から引き出し、火床容器体の一部を本体外に突出させて行い、特に火床容器体をある程度引き出すと、係止突部が係止受け部に衝突してそれ以上の引出が阻止される。
【００１４】
また本考案（請求項２）に係るバーベキュー用コンロは、火床容器体を本体に組み入れた際における火床容器体より側方に突出した位置までスライドレールを突出形成すると共に、前記突出個所のガイド部高さの直上位置に鍔抑え部を設けてなるものであり、また本考案（請求項３）に係るバーベキュー用コンロは、前記のコンロに於いて特に、係止突部を火床容器体の底面に突設すると共に、前後脚に架設した連結杆に、係止受け部を上方に突設してなるもので、火床容器体を引き出した際に、スライド部をスライドレールと鍔抑え部とで挟持する構成となり、また係止受け部が火床容器体の支持部材として作用するので、引き出された火床容器体は傾斜することなく安定した状態での引き出しが可能となる。
【００１５】
また本考案（請求項４）に係るバーベキュー用コンロは、特に本体を、下方開口コの字状のパイプ脚杆を対向させると共に、対向パイプ脚杆をコの字状連結パイプで連結して骨組みとした脚杆部と、枠体部及び前後対向周壁を備えた本体部とで構成してなるもので、容易に大型化堅牢化を実現できると共に、脚杆部は他の製品との共通部品として使用できる利点がある。
【００１６】
更に本考案（請求項５）に係るバーベキュー用コンロは、特に火床容器体に、収納可能構造の持ち上げ把手を設けてなるもので、持ち上げ把手によって火床容器体の本体への脱着が容易となり、而もこの持ち上げ把手を収納時状態とすることで、火床容器体の引出操作の邪魔にならない。
【００１７】
また本考案（請求項６）に係るバーベキュー用コンロは、火床容器体をスライドレール上に載置した際の火床容器体の上方となる本体対向箇所に、一対のコの字状の網板支持杆の基部を軸装して、網板支持杆の上方横杆が開口部より上方に突出回動可能に架設し、本体の周壁外周側に、前記網板支持杆を回動操作する操作部を設けてなるもので、操作部の操作によって網板支持杆を回動させることで、網板の上下位置を調整できる。
【考案の効果】
【００１８】
本考案の構成は上記のとおりで、火床容器体の本体への着脱を上方開口部から実施することで、前記着脱作業を容易にし、火床容器体の引き出しに際しては係止突部と係止受け部によるストッパー機能によって、火床容器体が抜け出ることがないので安全に使用できるものである。
【００１９】
また更に網板上下位置調整機構を付加することで、火床容器体の引き出しによる燃料の調整で大きな火力調整ができ、網板の上下位置調整で、細かい火力調整を可能としたもので、この組み合わせで火力調整機能が高められるものである。
【図面の簡単な説明】
【００２０】
【図１】本考案の実施形態の全体の分解斜視図。
【図２】同使用状態の説明図（全体斜視図）。
【図３】同網板上下機構の説明図（全体図）。
【図４】同図（操作部の説明図）
【図５】同引き出し機能の説明図（全体図）。
【図６】同図（引き出し状態の全体図）。
【図７】同図（要部断面図）。
【図８】同図（ストッパー機能部分説明図）。
【考案を実施するための形態】
【００２１】
次に本考案の実施形態について説明する。実施形態に示したバーベキュー用コンロは本体１と、火床部２と、火床容器体のストッパー機構部３と、網板上下位置調整機構部４と、網板５とを備えたものである。
【００２２】
本体１は、脚杆部１ａと本体部１ｂとで構成され、脚杆部１ａは、下方開口コの字状のパイプ脚杆１１ａ，１１ｂを対向させると共に、対向パイプ脚杆１１ａ，１１ｂをコの字状連結パイプ１２ａ，１２ｂで連結して骨組みとしたものである。
【００２３】
本体部１ｂは、上端に枠体部１３で矩形開口部ａを形成して、枠体部１３の下方に前後対向周壁１４と一方の側面に側面周壁１５を設けたもので、前記前後対向周壁１４の内面適宜高さ位置に、枠体部１３で形成される矩形開口部ａより内方へ突出するスライドレール１６を設けてなり、脚杆部１ａの上部に嵌合して、リベットやネジ止めで一体化するものである。
【００２４】
また前記スライドレール１６は、後述する火床容器体２１を本体１に装着（スライドレール上１６にスライド部２４を載置した状態）した際における火床容器体２１の側面より側方に突出した位置まで突出形成し、更に前記突出個所のスライド部高さの直上位置に鍔抑え部１７を設けてなるものである。
【００２５】
火床部２は、火床容器体２１と、火床容器体２１内に配設される火格子２２で構成され、火床容器体２１は、前記矩形開口部ａの上方から周壁１４，１５で囲繞された空間に差し入れることが可能な大きさに形成したもので、適宜数箇所に適宜大きさの空気孔２３を形成し、前後上縁を外周に張り出した鍔様に形成し、前後縁の鍔状部を前記スライドレール１６に載置可能なスライド部２４に形成してなる。
【００２６】
更に左右上縁は、内側に折曲して透孔を穿設し、前記透孔に線材で形成した持ち上げ把手２５を上下出没自在に装着し、また火床容器体２１の側面（側面開口部ｂが形成される右側面）に、引き出し把手２６を設けたものである。
【００２７】
ストッパー機構部３は、火床容器体２１の底面適宜箇所（火床容器体２１の左右中心より引き出し把手２６を設けた側と反対側面に近い位置）に係止突部３１を突設し、前後脚（パイプ脚杆１１ｂ）に架設した連結杆３２に、火床容器体２１の本体装着時の底面位置と対応する係止受け部３３を上方に突設し、更に前記連結杆３２には吊下げ用フック３４を付設してなる。
【００２８】
網板上下位置調整機構部４は、火床容器体２１をスライドレール１６上に載置した際の火床容器体２１の上方となる枠体部１３及び側面周壁１５に組み込んだもので、一対の網板支持杆４１と、作動杆４２と、操作ハンドル４３と、保持部４４と、保持ハンドル４５で形成されている。
【００２９】
網板支持杆４１は、コの字状で基部を枠体部１３の前後対向内周面（本体対向箇所）に軸装し、回動によって網板支持杆４１の上方横杆部４１１が、枠体部１３の上方へ突出するように設けたものである。
【００３０】
作動杆４２は、枠体部１３の左右内周面に、前記網板支持杆４１と同様に、上方杆部４２１と回動杆部４２２とでコの字状に形成し、回動杆部４２２の基部を枠体部１３の左右内周面に軸装して枠体部１３の上方へ回動突出するように設けたもので、特に上方杆部４２１を前記網板支持杆４１の上方横杆部４１１の下方で直交するように配置してなる。
【００３１】
更に回動中心となる上方杆部４２１と平行な軸部４２３を、側面周壁１５を貫通して外方に突出させ、回動杆部４２２の反対側に延長して操作杆部４２４とし、操作杆部４２４の先端に操作ハンドル４３を設け、また回動中心軸方向に僅かに移動できるように組み込んだものである。
【００３２】
保持部４４は、側面周壁１５の外面に固着したもので、前記操作杆部４２４が回動時に通過する位置に係止段部４４１を有する保持溝４４２を形成したもので、前記保持部４４に保持ハンドル４５を付設したものである。
【００３３】
尚網板５には、後述する上方横杆部４１１の持ち上げに際して、網板５が移動しないよう、枠体部１３に設けた透孔１３１に、下方部分を遊挿した下方開口コの字状のガイド杆５１を付設してなる。勿論網板に代えて鉄板を採用しても良いことは言うまでもない。
【００３４】
而して火格子２２を底面に配置した火床容器体２１を、持ち上げ把手２５で持ち上げ、矩形開口部ａの上方より差し入れて本体１に装着し、装着後に持ち上げ把手２５を透孔に差し入れて収納時状態とし、火格子２２上に燃料Ａを入れて点火し、枠体部１３上に網板５を載置してバーベキュー調理を実施するものである。
【００３５】
調理中（火力調整）、或いは調理前に網板５の上下位置調整を必要とする場合には、操作ハンドル４３と保持ハンドル４５を握り、操作ハンドル４３を軸方向に移動させて、操作杆部４２４を係止段部４４１から外し、操作ハンドル４３で操作杆部４２４を回動させると、作動杆４２全体が軸部４２３を中心に回動し、上方杆部４２１で上方横杆部４１１を持ち上げて網板支持杆４１を回動起立させ、網板５の上下位置を変更する。
【００３６】
そして網板５が所望の高さに達したなら、操作ハンドル４３を軸方向に移動させ、操作杆部４２４を係止段部４４１に係止させ、網板５を所望の高さに保持するものである。
【００３７】
また燃料Ａを供給（除去）する場合には、引き出し把手２６を持って、火床容器体２１を枠体部１３と連結杆３２で囲まれた側面開口部ｂから引き出すと、火床容器体２１はスライド部２４がスライドレール１６上をスライド移動して側面開口部ｂから突出するものである。
【００３８】
突出した火床容器体２１は、スライド部２４がスライドレール１６と鍔抑え部１７の間を通過するので、両者で挟持された状態となり、更に係止受け部３３で底面が支持されることになるので、安定した状態で突出し、突出状態の火床容器体２１に燃料供給（燃料除去）を行うものである。
【００３９】
特に側面開口部ｂから火床容器体２１を大きく引き出すと、火床容器体２１の底面に設けた係止突部３１が係止受け部３３に衝突して、それ以上火床容器体２１を引き出すことができない状態となる。
【００４０】
従って火床容器体２１が本体１から引出操作によって離脱して、火床容器体２１の引き出し把手２６の反対側が落下し、燃焼中の燃料Ａが飛散する危険性が生じない。更に前記のとおり網板５の上下位置調整と燃料調整の双方での調理火力調整ができるものである。
【００４１】
器具の使用が終了した後には、網板５を外し、持ち上げ把手２５を収納状態から引き上げて、これを把持して火床容器体２１を上方へ引き上げて本体１から分離し、清掃を行うもので、火床容器体２１の引き出し作用に関する各部は、前記の上方取り出し操作の支障にならないものである。
【００４２】
尚本考案は、前記実施形態に限定されるものではなく、例えば火床容器体２１の持ち上げ把手２５の収納構造は上下収納の他に内方への折り畳み回動収納でも良いし、ストッパー機構部３についても、火床容器体２１の本体１への装着に支障がないように、係止突部３１を火床容器体２１のスライド部下方の前面（後面）に突設し、本体１の前周壁（後周壁）に係止受け部３３を突設するなど適宜な構造を採用できるものである。また網板上下位置調整機構部４の操作構造については、公知の種々の構造を採用できるものである。
【符号の説明】
【００４３】
１      本体
１ａ    脚杆部
１ｂ    本体部
１１ａ，１１ｂ    パイプ脚杆
１２ａ，１２ｂ    連結パイプ
１３    枠体部
１３１  透孔
１４    前後対向周壁
１５    側面周壁
１６    スライドレール
１７    鍔抑え部
２      火床部
２１    火床容器体
２２    火格子
２３    空気孔
２４    スライド部
２５    持ち上げ把手
２６    引き出し把手
３      ストッパー機構部
３１    係止突部
３２    連結杆
３３    係止受け部
３４    吊下げ用フック
４      網板上下位置調整機構部
４１    網板支持杆
４１１  上方横杆部
４２    作動杆
４２１  上方杆部
４２２  回動杆部
４２３  軸部
４２４  操作杆部
４３    操作ハンドル
４４    保持部
４４１  係止段部
４４２  保持溝
４５    保持ハンドル
５      網板
５１    ガイド杆
Ａ      燃料
ａ      矩形開口部
ｂ      側面開口部
【図１】
0003151250.tif 000003
【図２】
0003151250.tif 000004
【図３】
0003151250.tif 000005
【図４】
0003151250.tif 000006
【図５】
0003151250.tif 000007
【図６】
0003151250.tif 000008
【図７】
0003151250.tif 000009
【図８】
0003151250.tif 000010
【手続補正書】
【提出日】平成21年4月8日(2009.4.8)
【手続補正１】
【補正対象書類名】実用新案登録請求の範囲
【補正対象項目名】請求項４
【補正方法】変更
【補正の内容】
【請求項４】
本体を、下方開口コの字状のパイプ脚杆を対向させると共に、対向パイプ脚杆をコの字状連結パイプで連結して骨組みとした脚杆部と、枠体部及び前後対向周壁を備えた本体部とで構成してなる請求項１乃至３のいずれか１項に記載のバーベキュー用コンロ。